(57)【要約】【課題】安定化過酸化水素含有組成物及びその作製方法を提供すること。【解決手段】本組成物は、ジスルホネート界面活性剤、ジエステル溶媒、及び安定化過酸化水素に酸性のpH値を提供するのに十分な量のスルホン酸又はその塩で構成される安定化剤系を含有する。本組成物は、殺菌剤としての使用、洗浄剤としての使用、並びにヘアケア及び歯のホワイトニング等の様々なパーソナルケア用途における使用に好適である。【選択図】なし【特許請求の範囲】
【請求項１】
過酸化水素と、
ジスルホネート界面活性剤と、
ジエステル溶媒と、
安定化過酸化水素に酸性のpH値を提供するのに十分な量のスルホン酸と、
水と、
を含む、安定化過酸化水素組成物。
【請求項２】
過酸化水素が、組成物中に0.5質量%〜10質量%の範囲の量で存在し、
スルホン酸が、3.5以下のpH値を提供する量で存在する、請求項1に記載の安定化過酸化水素組成物。
【請求項３】
スルホン酸が、1.5〜2.5の範囲のpH値を提供する量で存在する、請求項1に記載の安定化過酸化水素組成物。
【請求項４】
スルホン酸が、炭化水素スルホン酸、ハロ炭化水素スルホン酸、及びそれらの組み合わせからなる群から選択される、請求項1に記載の安定化過酸化水素組成物。
【請求項５】
エタノール若しくはベンジルアルコール、又は両方、
グリコールエーテル、或いは
脂肪族リン酸エステルのうちの1つ、又はそれらの組み合わせを更に含む、請求項1に記載の安定化過酸化水素組成物。
【請求項６】
ジスルホネート界面活性剤が、アルキルジフェニルオキシドジスルホネート化合物又はその塩を含む、請求項1に記載の安定化過酸化水素組成物。
【請求項７】
過酸化水素と、
ジスルホネート界面活性剤と、
ジエステル溶媒と、
安定化過酸化水素に酸性のpH値を提供するのに十分な量のスルホン酸と、
水と、
任意の、アルコール、グリコールエーテル、又は脂肪族リン酸エステルのうちの1つ又はそれらの組み合わせと、からなる、安定化過酸化水素組成物。
【請求項８】
過酸化水素が、組成物中に0.5質量%〜10質量%の範囲の量で存在し、スルホン酸が、3.5以下のpH値を提供する量で存在する、請求項7に記載の安定化過酸化水素組成物。
【請求項９】
過酸化水素を、
ジスルホネート界面活性剤、
ジエステル溶媒、
安定化過酸化水素に酸性のpH値を提供するのに十分な量のスルホン酸又はその塩、及び
水と配合することによって、過酸化水素組成物を安定化して、過酸化水素組成物の有効性を向上及び/又は維持する方法であって、
組成物中に存在する過酸化水素の90%以上が、通常の室温保管条件下で少なくとも12か月間安定である、方法。
【請求項１０】
過酸化水素が、組成物中に0.5質量%〜10質量%の範囲の量で存在し、スルホン酸が、3.5以下のpH値を提供する量で存在する、請求項9に記載の方法。
【請求項１１】
スルホン酸が、1.5〜2.5の範囲のpH値を提供する量で存在する、請求項9に記載の方法。
【請求項１２】
スルホン酸が、炭化水素スルホン酸、ハロ炭化水素スルホン酸、及びそれらの組み合わせからなる群から選択され、ジスルホネート界面活性剤が、アルキルジフェニルオキシドジスルホネート化合物又はその塩を含む、請求項9に記載の方法。
【請求項１３】
過酸化水素組成物が、
エタノール若しくはベンジルアルコール、又は両方、
グリコールエーテル、或いは
脂肪族リン酸エステルのうちの1つ、又はそれらの組み合わせを更に含む、請求項9に記載の方法。
【発明の詳細な説明】
【技術分野】
【０００１】
本発明は、概して、過酸化水素含有組成物の安定化を対象とする。具体的には、本発明は、安定化過酸化水素組成物及びその作製方法を対象とする。
【背景技術】
【０００２】
過酸化水素溶液は、皮膚、毛髪、及び粘膜からコンタクトレンズ、更には家庭及び工業における表面及び機器に及ぶ、様々な表面の漂白、消毒、及び洗浄を含む、様々な目的で長年使用されてきた。残念ながら、厳しい条件が満たされない限り、過酸化水素溶液は、極めて短い時間内に、O2ガスと水とに分解され始める。これらの目的で使用されている典型的な過酸化水素溶液は、水中の過酸化水素が約0.5〜約10質量%の範囲である。そのような希薄な過酸化水素溶液が分解される速度は、当然ながら、pH、並びに過酸化水素溶液を触媒作用によって分解するように作用し得る、銅又はクロム等の様々な痕跡量の金属不純物の存在といった要因に依存することになる。また、中等度に上昇した温度では、そのような希薄な過酸化水素水溶液の分解速度は、著しく加速される。したがって、過酸化物の分解に対して安定化されている過酸化水素溶液は、非常に需要がある。
【０００３】
通常、主として溶解した金属である痕跡不純物に起因する分解に対処するために、安定化剤(通常は金属イオン封鎖剤)が過酸化水素溶液に添加される。ジオール、キノン、スズ酸塩、ピロリン酸、種々の芳香族化合物、及びアミノカルボン酸塩等の、多くの種類の化合物が、この機能を満たすために使用されている。しかしながら、上に提示された化合物の多くは、毒性、環境への影響、及び性能の低さといった、様々な関連する問題及び課題を有する。
【０００４】
過酸化水素分解から保護するために溶液中での使用が提案されている具体的な化合物の例としては、フェノール硫酸ナトリウム;スズ酸ナトリウム;N,N-低級アルキルアニリン、スルファミン酸、スルホラン、並びにジ-直鎖低級アルキルスルホン及びスルホキシド;ホスホン酸及びそれらの塩;アクリル酸ポリマー;ポリリン酸;ポリアミノポリリン酸及び/又はそれらの塩;並びにそのような化合物の特定の組み合わせ(又はブレンド)が挙げられる。しかしながら、毒性及び環境への影響の懸念に加えて、これらの提示された化合物又はブレンドの多くが、他の欠点を有する。例えば、特定の安定化剤の使用は、適切な過酸化水素の安定性を提供するために、特定のpHレベル、例えば酸性条件、又は比較的低い過酸化水素濃度といった特定の条件を要するか、或いは安定性性能が低いかのいずれかである。安定性性能の低さは、全体的に安定性性能が低いか、又は他の不安定化成分、例えば界面活性剤を含有する特定の配合物中において安定性性能が低いかのいずれかであり得る。
【０００５】
この問題を解決するために、利用可能な安定化剤化合物には相当な努力がなされてきたにも関わらず、前述の欠点及び不利な点の1つ又は複数を伴わない、高度に安定である過酸化水素溶液を提供する必要性が、依然として存在する。
【発明の概要】
【課題を解決するための手段】
【０００６】
本発明の実施形態によれば、過酸化水素、ジスルホネート界面活性剤、ジエステル溶媒、安定化過酸化水素に酸性のpH値を提供するのに十分な量のスルホン酸、及び水を含む、安定化過酸化水素組成物が提供される。
【０００７】
本発明の別の実施形態によれば、過酸化水素含有組成物を安定化する方法が提供される。本方法は、過酸化水素水溶液を、ジスルホネート界面活性剤、ジエステル溶媒、及び安定化過酸化水素に酸性のpH値を提供するのに十分な量のスルホン酸を含む安定化系と組み合わせることを含む。
【発明を実施するための形態】
【０００８】
本発明の実施形態によれば、ジスルホネート界面活性剤、ジエステル溶媒、及び組成物に酸性のpHを提供するのに十分な量のスルホン酸を含む安定化剤系の包含により、広い温度範囲にわたって安定性を示す、過酸化水素の水溶液が提供される。本安定化過酸化水素組成物は更に、本明細書に記載されるもの等、追加的な成分を含んでもよい。別の実施形態によれば、水性過酸化水素組成物を安定化する方法が更に提供される。
【０００９】
過酸化水素(H2O2):本発明の実施形態によれば、安定化過酸化水素含有組成物は、約0.5質量%以上の過酸化水素を含み得るが、質量%は、安定化過酸化水素組成物の総質量に基づく。例えば、安定化過酸化水素組成物は、約0.5質量%〜約10質量%、典型的には約1質量%〜約8質量%、又は約2質量%〜約7質量%、又は約3質量%〜約5質量%、又は約4〜約9質量%の過酸化水素を含み得る。過酸化水素の供給源は特に限定されず、便利なことに市販されている。典型的な産業又は食品グレードの過酸化水素溶液は、約35質量%〜約70質量%の過酸化水素を含む水溶液として提供されており、したがって、所望の最終過酸化水素濃度を達成するために、水及び/又は他の希釈剤(例えば、アルコール)で希釈することができる。所望の安定性は、下において更に説明されるように、ジスルホネート界面活性剤、ジエステル溶媒、及びスルホン酸を含む安定化剤系によって過酸化水素組成物に対して付与される。
【００１０】
ジスルホネート界面活性剤:本発明の実施形態によれば、ジスルホネート界面活性剤は、所望のレベルの安定性を提供するのに十分な量で、安定化過酸化水素組成物中に存在する。例えば、ジスルホネート界面活性剤は、約0.1質量%〜約10質量%の範囲の量で存在し得るが、質量%は、安定化過酸化水素組成物の総質量に基づく。例えば、ジスルホネート界面活性剤は、安定化過酸化水素組成物中に、約0.1質量%、約0.5質量%、約1質量%、約1.5質量%、約2質量%、約3質量%、約4質量%、約5質量%、約7質量%、若しくは約10質量%、又はこれらの値の任意の組み合わせの間の範囲の量で存在し得る。ジスルホネート界面活性剤は、アルキルジフェニルオキシドジスルホネート化合物又はその塩を含み得る。例示的な塩としては、アルカリ金属塩又はアルカリ土類金属塩が挙げられる。アルキルジフェニルオキシドジスルホネート化合物は、不定型の界面活性剤であり、1つ又は2つの、直鎖及び/又は分岐C6〜C20アルキル鎖基を含むことが好ましい。したがって、例示的なアルキルジフェニルオキシドジスルホネート化合物としては、限定されるものではないが、C6〜C20モノ及び/又はジアルキルジフェニルオキシドジスルホネート化合物が挙げられる。例えば、アルキル鎖は、ヘキシル、ヘプチル、オクチル、ノニル、デシル、ウンデシル、ドデシル、プロパデシル、ブタデシル、ペンタデシル、ヘキサデシル、ヘプタデシル、オクタデシル、ノナデシル、又はジデシルであってもよい。例えば、Dow Chemical Company社から入手可能なDowfax(商標)8390は、ヘキサデシルジフェニルオキシドジスルホン酸二ナトリウム及びジヘキサデシルジフェニルオキシドジスルホネートを含む、ジフェニルオキシドジスルホネート溶液である。別の例示的なアルキルジフェニルオキシドジスルホネート化合物溶液は、n-デシルジフェニルオキシドジスルホネート溶液である、Dowfax(商標)3B2である。
【００１１】
ジエステル溶媒:本発明の実施形態によれば、ジエステル溶媒は、所望のレベルの安定性を提供するのに十分な量で、安定化過酸化水素組成物中に存在する。例えば、ジエステル溶媒は、約0.1質量%〜約10質量%の範囲の量で存在し得るが、質量%は、安定化過酸化水素組成物の総質量に基づく。例えば、ジエステル溶媒は、安定化過酸化水素組成物中に、約0.1質量%、約0.5質量%、約1質量%、約1.5質量%、約2質量%、約3質量%、約4質量%、約5質量%、約7質量%、若しくは約10質量%、又はこれらの値の任意の組み合わせの間の範囲の量で存在し得る。例示的なジエステル溶媒としては、限定されるものではないが、メチルグルタル酸ジアルキル、アジピン酸ジアルキル、エチルコハク酸ジアルキル、コハク酸ジアルキル、グルタル酸ジアルキル、及びそれらの任意の組み合わせが挙げられる。ジエステル溶媒のアルキル基は、同じであっても異なっていてもよく、メチル、エチル、プロピル、イソプロピル、n-ブチル、ペンチル、イソアミル、ヘキシル、ヘプチル、又はオクチルから独立して選択される。一実施形態において、ジエステル溶媒は、Solvay Chemicals, Inc.社からRhodiasolv(登録商標)Infinityとして市販される、2-メチルグルタル酸ジメチルである。
【００１２】
スルホン酸:本発明の実施形態によれば、安定化過酸化水素組成物は、安定化過酸化水素に酸性のpHを提供するのに十分な量のスルホン酸を含有する。スルホン酸の非限定的例としては、脂肪族若しくは芳香族の炭化水素スルホン酸、ハロ炭化水素スルホン酸、又はそれらの組み合わせが挙げられる。例示的な炭化水素スルホン酸としては、メタンスルホン酸、エタンスルホン酸、プロパンスルホン酸、ブタンスルホン酸、ペンタンスルホン酸、ヘキサンスルホン酸、若しくはベンゼンスルホン酸等のC1〜C6スルホン酸、又はトルエンスルホン酸、キシレンスルホン酸、若しくはナフタレンスルホン酸等のC7〜C10スルホン酸が挙げられる。一実施形態において、スルホン酸は、BASF社からLutropur(登録商標)MSAとして市販される、メタンスルホン酸である。
【００１３】
ハロ炭化水素スルホン酸は、炭化水素部分の水素原子の一部又は全てが、ハロゲン、特に塩素、臭素、又はフッ素で置換されている、炭化水素スルホン酸である。例示的なハロ炭化水素スルホン酸としては、フルオロメタンスルホン酸、ジフルオロメタンスルホン酸、トリフルオロメタンスルホン酸、トリクロロエタンスルホン酸、トリクロロメタンスルホン酸、ペルクロロエタンスルホン酸、トリブロモメタンスルホン酸、3,3,3-トリブロモプロパンスルホン酸、トリス(トリフルオロメチル)メタンスルホン酸等が挙げられる。
【００１４】
スルホン酸は、標準温度及び圧力(すなわち、25℃及び1気圧)において酸性pH(すなわち、7未満)を提供するのに十分な量で、安定化過酸化水素組成物中に存在する。例えば、安定化過酸化水素組成物のpHは、約6.5以下、約6以下、約5.5以下、約5以下、約4.5以下、約4以下、約3.5以下、約3以下、約2.5以下、約2以下、若しくは約1.5以下、又はこれらの値の任意の組み合わせの間の範囲であり得る。したがって、安定化組成物のpHは、例えば、約6.5〜約1、約3.5〜約1.5、又は約2.5〜約1.5の範囲であり得る。
【００１５】
塩基を添加することが必要になった場合(例えば、過剰量のスルホン酸が導入され、pHが所望されるより低くなった場合)には、水性水酸化ナトリウム、水性水酸化カリウム等の塩基を、所望のpHを得られるまで組成物に添加してもよい。塩基は、第一鉄イオン、第二鉄イオン、第二銅イオン、第一銅イオン、マンガンイオン、及び類似の遷移金属イオン等の、過酸化水素の分解を触媒する金属イオンを含んではならない。塩基はまた、過酸化水素と反応する有機物質及び無機物質のどちらも含んではならない。
【００１６】
水:全ての他の成分が占めた後、水が過酸化水素含有組成物の残部を構成する。過酸化水素は典型的には、30質量%〜70質量%の水溶液として市販されているため、所望の過酸化水素濃度を得るために、水又は他の希釈剤で過酸化水素を希釈することが、典型的に必要である。ある実施形態によれば、水又は希釈剤は、第一鉄イオン、第二鉄イオン、第二銅イオン、第一銅イオン、マンガンイオン、及び類似の遷移金属イオン等の、過酸化水素の分解を触媒する金属イオンを含まない場合がある。別の実施形態によれば、水又は希釈剤は、過酸化水素によって酸化される有機物質もまた含まない場合がある。別の実施形態によれば、水又は希釈剤は、塩素(Cl2)、次亜塩素酸(HOCl)、及び次亜塩素酸ナトリウム(NaOCl)等の、過酸化水素と反応する無機物質もまた含まない場合がある。蒸留水又は脱イオン水が使用され得る。
【００１７】
任意の成分:追加的な成分が、ジスルホネート界面活性剤、ジエステル溶媒、及びスルホン酸の安定化系によって得られた安定性に大して有害に影響を及ぼさない限り、安定化過酸化水素組成物中に含まれてもよい。例示的な任意の成分としては、メタノール、エタノール、プロパノール、ブタノール、ペンタノール、ヘキサノール、及び/若しくはベンジルアルコール等のアルコール希釈剤、グリコールエーテル、並びに/又は脂肪族リン酸エステルが挙げられる。
【００１８】
アルコールは、希釈剤又は共溶媒として安定化過酸化水素組成物中に含まれ得る。例えば、存在する場合、アルコールは、安定化過酸化水素組成物の約0.5質量%〜約70質量%を構成し得る。ある実施形態において、安定化過酸化水素組成物は更に、約30質量%〜約60質量%のエタノール、例えば、アセトンを含む変性エタノールである、約47質量%のSDA 23Aを含む。別の実施形態において、安定化過酸化水素組成物は更に、約5〜20質量%のベンジルアルコール、例えば、約11質量%を含む。別の実施形態において、安定化過酸化水素組成物は更に、エタノール及びベンジルアルコールの両方を含む。
【００１９】
グリコールエーテルは、合体剤、可溶化剤、又は粘度低下剤として、安定化過酸化水素組成物中に含まれ得る。グリコールエーテルは、存在する場合、安定化過酸化水素組成物の約0.1質量%〜約10質量%を構成し得る。例えば、グリコールエーテルは、安定化過酸化水素組成物中に、約0.1質量%、約0.5質量%、約1質量%、約1.5質量%、約2質量%、約3質量%、約4質量%、約5質量%、約7質量%、若しくは約10質量%、又はこれらの値の任意の組み合わせの間の範囲の量で存在し得る。グリコールエーテルは、ジエチレングリコールブチルエーテル(DGBE)、エチレングリコールモノメチルエーテル(CH3OCH2CH2OH)、エチレングリコールモノエチルエーテル(CH3CH2OCH2CH2OH)、エチレングリコールモノプロピルエーテル(CH3CH2CH2OCH2CH2OH)、エチレングリコールモノイソプロピルエーテル[(CH3)2CHOCH2CH2OH]、エチレングリコールモノブチルエーテル(CH3CH2CH2CH2OCH2CH2OH)、エチレングリコールモノフェニルエーテル(C6H5CH2OCH2CH2OH)、エチレングリコールモノベンジルエーテル(C6H5OCH2CH2OH)、ジエチレングリコールモノメチルエーテル(CH3OCH2CH2OCH2CH2OH)、ジエチレングリコールモノエチルエーテル(CH3CH2OCH2CH2OCH2CH2OH)、ジエチレングリコールモノ-n-ブチルエーテル(CH3CH2CH2CH2OCH2CH2OCH2CH2OH)、プロピレングリコールフェニルエーテル[C6H5CH2OCH2CH(CH3)OH]、及び/又はそれらの任意の組み合わせ等の、アルキルグリコールエーテルから選択され得る。一実施形態において、グリコールエーテルは、Dow Chemical Company社からDowanol(商標)PPh Glycol Ether溶媒として市販される、プロピレングリコールフェニルエーテルである。
【００２０】
脂肪族リン酸エステルが、安定化過酸化水素組成物中に含まれてもよく、ヒドロトロープ又は界面活性剤として機能し得る。存在する場合、脂肪族リン酸エステルは、約0.01質量%〜約3質量%の範囲の量で存在し得るが、質量%は、安定化過酸化水素組成物の総質量に基づく。例えば、脂肪族リン酸エステルは、安定化過酸化水素組成物中に、約0.01質量%、約0.02質量%、約0.03質量%、約0.04質量%、約0.05質量%、約0.08質量%、約0.1質量%、約0.5質量%、約1質量%、約2質量%、若しくは約3質量%、又はこれらの値の任意の組み合わせの間の範囲で存在し得る。例示的な脂肪族リン酸エステルとしては、限定されるものではないが、Croda, Inc.社から市販される、Multitrope(商標)1214が挙げられる。
【００２１】
別の実施形態によれば、安定化過酸化水素組成物は、フェノール硫酸ナトリウム;スズ酸ナトリウム;N,N-低級アルキルアニリン、スルファミン酸、スルホラン、モノ及び/又はジ-直鎖低級アルキルスルホン及びスルホキシド;ホスホン酸及びそれらの塩;アクリル酸ポリマー;ポリリン酸塩;ポリアミノポリホスホン酸及び/又はそれらの塩を含まない場合がある。別の実施形態によれば、安定化過酸化水素組成物は、ペルオキシ酢酸等の、いかなるペルオキシカルボン酸も含まない場合がある。
【００２２】
別の実施形態によれば、過酸化水素組成物を安定化する方法が提供される。過酸化水素組成物を安定化することは、過酸化水素組成物の有効性を向上及び/又は維持し、過酸化水素を、ジスルホネート界面活性剤、ジエステル溶媒、安定化過酸化水素に酸性のpH値を提供するのに十分な量のスルホン酸、及び水と配合することによって実現される。ある実施形態において、組成物中に存在する過酸化水素の約90%以上が、通常の室温(RT)保管条件下で少なくとも12か月間安定である。他の実施形態においては、組成物中に存在する過酸化水素の約80%以上、又は70%以上、又は60%以上が、通常の室温保管条件下で少なくとも12か月間安定である。過酸化水素組成物の室温保管条件は、費用がかかり、かつ不便な保管における問題を排除するために望ましい。安定性試験が実際に1年にわたって実施される場合がある一方で、貯蔵性もまた、通常の保管条件下における製品の安定性を確保するために、所定の期間にわたって異常又は不自然な保管条件に対して関連付けられる場合がある。過酸化水素溶液産業における1つの許容される代替案は、54℃で14日間/14日間以上、安定性を試験することである。
【００２３】
安定化過酸化水素含有組成物は、様々な殺菌剤、洗浄剤、パーソナルケア、薬学的用途、織物用途、及び産業用途において使用され得る。安定化過酸化水素含有組成物は、それらが接触させられる表面を消毒するため、殺菌剤溶液又は殺菌剤ローションとして使用することができる。界面活性剤が存在する場合、それらは両方とも、接触させられる表面を洗浄及び消毒する。それらは、洗浄及び/又は消毒される対象と組成物との良好な接触を保証する、噴霧又は拭き取り等の任意の方法で適用することができ、例えば水によるすすぎ及び/又は拭き取りによってその後除去することができる。安定化過酸化水素含有組成物はまた、例えば、液体洗剤として、並びに歯漂白組成物等の口内ケア用途において使用することもできる。安定化過酸化水素含有組成物はまた、過酸化水素洗浄綿としての使用のために、織布基材又は不織基材上に適用することもできる。
【００２４】
本発明の有利な特性は、以下の実施例への参照によって観察することができるが、これらの実施例は本発明を例証するものではあるものの、制限するものではない。
【実施例】
【００２５】
【表１】
2016222531.tif 000002
【００２６】
Table 2(表2)(以下)に示される実施例1〜4に関して、成分を混合容器に添加する順序が大文字で括弧内に示されており、Aが、混合容器に添加される最初の成分である。
【００２７】
(実施例1)
一実施例においては、Dowfax(商標)8390、Rhodiasolv(登録商標)Infinity、Multitrope(商標)1214、35%過酸化水素、及びLutropur(登録商標)MSAを、ある量の脱イオン水に撹拌しながら順次添加することによって、安定化過酸化水素溶液を調製した。過酸化水素含有量は8.23質量%であり、溶液のpHは1.76であった。
【００２８】
(実施例2)
別の実施例においては、Dowfax(商標)8390、Rhodiasolv(登録商標)Infinity、35%過酸化水素、及びLutropur(登録商標)MSAを、ある量の脱イオン水に撹拌しながら順次添加することによって、安定化過酸化水素溶液を調製した。過酸化水素含有量は8.18質量%であり、溶液のpHは1.77であった。
【００２９】
(実施例3)
別の実施例においては、Dowfax(商標)8390、Rhodiasolv(登録商標)Infinity、35%過酸化水素、及びLutropur(登録商標)MSAを、ある量の脱イオン水に撹拌しながら順次添加することによって、安定化過酸化水素溶液を調製した。過酸化水素含有量は1.63質量%であり、溶液のpHは1.72であった。
【００３０】
(実施例4)
別の実施例においては、ベンジルアルコール、Dowanol(商標)PPh、Rhodiasolv(登録商標)Infinity、脱イオン水、Lutropur(登録商標)MSA、35%過酸化水素、及びDowfax(商標)8390を、ある量のSDA 23Aエタノールに順次添加することによって、安定化過酸化水素溶液を調製した。過酸化水素含有量は1.63質量%であり、溶液のpHは2.50であった。
【００３１】
対照:脱イオン水、クエン酸、及び過酸化水素を一緒に混合することによって、比較試料を調製した。過酸化水素含有量は1.7質量%であり、溶液のpHは1.87であった。
【００３２】
【表２】
2016222531.tif 000003
【００３３】
安定性試験:本明細書に開示される過酸化水素の割合の値(濃度)を、以下の方法を用いて測定した。過酸化水素含有溶液を、示される期間(例えば、17日間)及び条件で保管した。示される保管期間の後、酸化還元滴定法を用いて過酸化水素の濃度を測定した。酸化還元滴定法は、過酸化物の濃度を測定するための当該技術分野における標準的な方法である。具体的には、酸化還元滴定法は、0.001gの精度の化学天秤を使用して、試験する試料を0.3g秤量して100mLのビーカーに入れ、質量を記録することによって行った。次いで、15mlの冷蔵10%H2SO4を添加し、5滴のフェロイン指示薬を添加し、滴定液の初期体積を記録した。次いで、0.1N硫酸セリウム容積測定溶液で滴定し、サーモンピンクの色が黄色になるまで滴定液を滴加した。(黄色のエンドポイントは、最終製品溶液と色が類似しているはずである)。溶液が跳ねた可能性があるビーカーの側部を流すために、3ml以下の脱イオン水を必要に応じて添加した。溶液に添加した滴定液の最終体積を記録し、次いで、過酸化水素濃度を次のように計算した。
【００３４】
【数１】
2016222531.tif 000004
【００３５】
式中、aは消費した硫酸セリウム滴定液の正味の量であり、Nは使用した硫酸セリウムの厳密な規定度であり、mは秤量した試料の質量である。Table 2(表2)に示されるように、長期間にわたり様々な温度で保管した試料の過酸化水素含有量を測定した。
【００３６】
保管期間が長い場合、過酸化水素の濃度は、代替として、少なくとも120日後に上述のように濃度を測定し、次いで、当該技術分野で既知のように、一次速度論を使用して残りの期間を推定することによって、判定してもよい。上述の方法は、当該技術分野で既知のように、過酸化水素の絶対濃度並びに元々の濃度からの残存率を判定するために、過酸化物製品の製造直後及び指定の保管期間の終わりに行われる。
【００３７】
本明細書及び添付の特許請求の範囲で使用する場合、単数形「1つの(a)」、「1つの(an)」、及び「その(the)」は、文脈により別途明確に示されない限り、複数形の指示対象を含む。同様に、「1つの(a)」(又は「1つの(an)」)、「1つ又は複数の」、及び「少なくとも1つの」という用語は、本明細書において交換可能に使用することができる。「含む(comprising)」、「含む(including)」、「を特徴とする」、及び「有する」という用語が交換可能に使用され得ることにも留意されたい。
【００３８】
本発明は、その1つ又は複数の実施形態の説明により例示されており、またそれらの実施形態は相当に詳細に説明されているが、それらは、添付の特許請求の範囲をそのような詳細の範囲に制限することを意図するものでもなければ、決してそれを限定することを意図するものでもない。更なる利点及び修正が、当業者には容易に想起されるであろう。したがって、本発明は、そのより広義の態様において、具体的な詳細、代表的な装置及び方法、並びに示され説明された例示的な実施例に限定されるものではない。したがって、包括的発明概念の範囲から逸脱することなく、そのような詳細からの離脱がなされてもよい。
【外国語明細書】
2016222531000001.pdf